(57)【要約】【課題】  同報メール作成時における宛先指定の操作負荷を軽減することができる。【解決手段】  電子メールの送信又は受信時に、その電子メールで指定されているTo、Cc、Bcc等のアドレスのうち端末自身のアドレスを除くアドレスから対をなす全てのパターンのアドレスの組合せ情報を作成してメモリ部に蓄積する。新規メール作成時には指定済みの宛先アドレスを基に蓄積されている組合せ情報を検索して関連する組合せ情報を宛先アドレス候補として抽出し、抽出された宛先アドレス候補を重要度順に表示する。【選択図】        図１
2005078352.tif 000002
【特許請求の範囲】
【請求項１】
電子メールを送受信する通信手段と、
送信又は受信した電子メールに指定されているアドレスの組合せ情報を作成する組合せ情報作成手段と、
作成された組合せ情報を蓄積する蓄積手段と、
電子メールの宛先アドレスを入力したとき、前記蓄積手段の組合せ情報に基づいて、前記入力した宛先アドレスに関連する宛先アドレス候補を抽出する検索手段と、
抽出された宛先アドレス候補を表示する表示手段と、
を設けたことを特徴とする携帯通信端末。
【請求項２】
前記蓄積手段は、前記作成された組合せ情報を蓄積する際に、同一の組合せ情報が既に蓄積されている場合には、その回数をカウントすることを特徴とする請求項１記載の携帯通信端末。
【請求項３】
前記表示手段は、宛先アドレス候補を表示する場合、前記組合せ情報の前記カウント値に基づいて表示することを特徴とする請求項２記載の携帯通信端末。
【請求項４】
前記組合せ情報作成手段は、前記メールに指定されているアドレスの指定場所も含めて組合せ情報を作成することを特徴とする請求項１記載の携帯通信端末。
【請求項５】
電子メールのアドレス入力方法において、
少なくとも１つのアドレスが入力されると、過去に送信又は受信した電子メールに使用されている複数のアドレスの組合せを参照して、前記入力されたアドレスに関連する宛先候補を表示することを特徴とする電子メールのアドレス入力方法。
【発明の詳細な説明】
【技術分野】
【０００１】
本発明は、同報メール作成支援機能を有する携帯通信端末、および、この端末に用いられるアドレス入力方法に関するものである。
【背景技術】
【０００２】
携帯電話機等の携帯通信端末において、メールアドレスを指定するための従来技術としては下記のものがある。
従来技術１：所望のアドレスの文字列を文字入力機能によって直接入力する。
従来技術２：予めよく使うアドレスをアドレス帳に登録しておき、アドレス指定時にアドレス帳を検索して所望のアドレスを引用する。
【０００３】
従来技術３：送信アドレス履歴又は受信アドレス履歴(過去の送信メールや受信メールにおけるアドレスを時系列に自動保存)を検索して所望のアドレスを引用する。
【０００４】
従来技術４：予めよく使うアドレスの組合せを独自のグループ名とともに同報グループとして登録しておき、アドレス指定時に同報グループを検索して目的のグループ名を選択することで所望の複数のアドレスを一度に引用する。
【０００５】
従来技術５：過去に送受信した同報メールにおけるアドレスの組合せ情報をそれぞれひとまとまりで記録する機能を有し、アドレス指定時に文字列を入力すると、その文字列を先頭部分に持つひとまとめのアドレスを記憶部より抽出し、抽出したひとまとめのアドレスを引用する。
【特許文献１】特開２００２−２９７２８７号公報
【発明の開示】
【発明が解決しようとする課題】
【０００６】
しかしながら、上記各従来技術は次のような問題点があった。
・従来技術１の問題点
所望のアドレスをユーザが正確に記憶しておく必要がある。また、特に携帯電話などの場合、文字入力時の操作負荷が大きいので、所望のアドレスの件数だけ文字入力を繰り返すのは不便である。
【０００７】
・従来技術２の問題点
予め所望のアドレスをアドレス帳に登録しておく必要があり、また、アドレス帳への登録量が多くなると検索する場合の操作負荷が大きくなるので、所望のアドレスの件数だけ同様の操作を繰り返すのは不便である。
【０００８】
・従来技術３の問題点
時系列に保存された情報を検索するので所望のアドレスをすぐに見つけられない場合が多く、また、保存情報には同じアドレスが何件も含まれる場合や既に指定済みのアドレスが含まれる場合も多い。従って、所望のアドレスの件数だけ同様の操作を繰り返すのは不便である。
【０００９】
・従来技術４の問題点
予め所望のアドレスを組み合わせて独自のグループ名を付加した同報グループを登録しておく必要があり、また、予め登録しておいた組合せによる同報メールを作成するなら良いが、状況に応じてアドレスの組合せを変更したい場合やアドレスをTo、Cc、Bccなどに振り分けて指定したい場合などには不向きである。
【００１０】
・従来技術５の問題点
過去の組合せをそのまま使用する場合なら良いが、状況に応じてアドレスの組合せを変更したい場合や、アドレスをTo、Cc、Bccなどに振り分けて指定したい場合などには不向きである。
【００１１】
本発明は上記の問題を解決するためのもので、同報メール作成時における宛先指定の操作負荷を軽減することを目的とするものである。
【課題を解決するための手段】
【００１２】
上記の目的を達成するために本発明による携帯通信端末は、電子メールを送受信する通信手段と、送信又は受信した電子メールに指定されているアドレスの組合せ情報を作成する組合せ情報作成手段と、作成された組合せ情報を蓄積する蓄積手段と、電子メールの宛先アドレスを入力したとき、前記蓄積手段の組合せ情報に基づいて、前記入力した宛先アドレスに関連する宛先アドレス候補を抽出する検索手段と、抽出された宛先アドレス候補を表示する表示手段とを設けたことを特徴とする。
【００１３】
また前記蓄積手段は、前記作成された組合せ情報を蓄積する際に、同一の組合せ情報が既に蓄積されている場合には、その回数をカウントすることを特徴とする。
また前記表示手段は、宛先アドレス候補を表示する場合、前記組合せ情報の前記カウント値に基づいて表示することを特徴とする。
また前記組合せ情報作成手段は、前記メールに指定されているアドレスの指定場所も含めて組合せ情報を作成することを特徴とする。
また電子メールのアドレス入力方法は、少なくとも１つのアドレスが入力されると、過去に送信又は受信した電子メールに使用されている複数のアドレスの組合せを参照して、前記入力されたアドレスに関連する宛先候補を出力することを特徴とする。
【００１４】
本発明によれば、新規メールの宛先アドレスを入力すると、関連する組合せ情報が抽出されて宛先アドレス候補として表示されるので、同報メール作成時における宛先指定の操作負荷を軽減することができる。また、蓄積手段上の組合せ情報は、メールの送受信時に入力されるアドレスによって随時変更される。
【発明の効果】
【００１５】
以上説明したように本発明によれば、同報メール作成時における宛先指定の操作負荷を軽減することができる。
【発明を実施するための最良の形態】
【００１６】
以下、本発明の実施の形態を図面と共に説明する。
図１は本発明の実施の形態による携帯通信端末を示すブロック図である。
図１において、１は各部を制御するＣＰＵ等の制御部、２は通信網３及び無線基地局４を介して他の通信装置と無線通信する無線通信部、５は音声、振動等により着信等を知らせる報知部、６は時計・タイマ部、７はプログラム等を格納するＲＯＭ、作業用ＲＡＭ及び後述するアドレスの組合せ情報を蓄積するメモリ部である。８は組合せ情報を作成する組合せ情報作成部、９は画面表示部、１０はスピーカ等を含む音声出力部、１１はマイクロホン等を含む音声入力部、１３は検索・判断部、１４は電子メール作成部である。
本実施の形態による携帯通信端末は、メールを送信及び受信した際、そのメールに含まれるアドレスによって対となる全てのパターンの組合せ情報を組合せ情報作成部８で作成し、メモリ部７に蓄積する機能を有する。
【００１７】
図２は組合せ情報作成処理を示すフローチャートである。
図２において、メールの送信又は受信が発生すると（ステップS1）、そのメールに含まれるアドレスから組合せ情報を作成するための対象アドレスを抽出する（ステップS2）。対象アドレスは、To、Cc(Carbon Copy)、Bcc(Blind Carbon Copy)、Fromにより指定されたアドレスのうち端末自身のアドレスを除いたものとする。
【００１８】
次に、抽出された対象アドレスによって対となる全てのパターンの組合せ情報を作成する（ステップS3）。抽出された対象アドレスの件数がｎ件の場合（ステップS4）、作成する組合せ情報の件数は｛ｎ(ｎ−１)／２｝件となる。
※例：対象アドレスが"アドレスＡ"、"アドレスＢ"、"アドレスＣ"、"アドレスＤ"の場合、下記６件の組合せ情報を作成して保存する。
・"アドレスＡ"と"アドレスＢ"      ・"アドレスＢ"と"アドレスＣ"
・"アドレスＡ"と"アドレスＣ"      ・"アドレスＢ"と"アドレスＤ"
・"アドレスＡ"と"アドレスＤ"      ・"アドレスＣ"と"アドレスＤ"
【００１９】
まず、ｎ＝ｉ＝１として（ステップS5）、ｉ件目の組合せ情報と、既に作成されてメモリ部７に蓄積済みの組合せ情報とを照合する（ステップS6）。組合せ情報それぞれに対してカウンタを持っていて、上記照合の結果、ｉ件目の組合せ情報と同一の組合せ情報が既に蓄積されていれば（ステップS7,ｙｅｓ）、そのカウンタのカウンタ値をインクリメントする。すなわち回数がカウントされる。同一の組合せ情報が既に蓄積されていなければ（ステップS7,ｎｏ）、その組合せ情報を新規に蓄積保存すると共に、そのカウンタのカウンタ値＝１とする（ステップS9）。そして、ｉの値を１ずつインクリメントしながら、ｉがｎとなるまでステップS6〜S9を繰り返す（ステップS10, S11）。
【００２０】
作成された組合せ情報は、新たに保存、又はカウンタ値をインクリメントした順に管理する。従って、入力される宛先アドレスに基づいて蓄積された組合せ情報を検索し、抽出された組合せ情報をカウンタ値の順に表示することにより、宛先アドレス候補順位として表示することができる。
【００２１】
尚、保存用メモリが不足した場合には、カウンタ値が小さく且つインクリメントしないまま長時間経過した組合せ情報を優先的に自動削除する。
また、アドレス帳に登録されているアドレスをユーザが削除した場合は、そのアドレスを含む組合せ情報も同時に削除する。
また、アドレス帳に登録されているアドレスをユーザが変更した場合は、そのアドレスを含む組合せ情報も同時に変更する。
【００２２】
次に、本実施の形態による携帯通信端末は、メール作成時において、指定済みアドレスと過去に組合せられたことがあり、且つ、まだ指定されていないアドレスのみを、上記蓄積されている組合せ情報群の中から抽出する機能を有する。
【００２３】
図３は上記指定済みアドレス関連の組合せ情報及びアドレス抽出の処理を示すフローチャートである。
図３において、指定済みアドレスの件数をｎとし（ステップS11）、ｎ＝ｉ＝１として（ステップS12）処理を開始する。まず、ｉ件目の指定済みアドレスと蓄積済み組合せ情報とを照合し（ステップS13）、ｉ件目の指定済みアドレスと関連する組合せ情報（以下、抽出組合せ情報という）を抽出する（ステップS14）。
【００２４】
次に、抽出組合せ情報から指定済みアドレス以外のアドレス（以下、抽出アドレスという）を抽出する（ステップS15）。次に、抽出組合せ情報と抽出アドレスを保存する（ステップS16）。そして、ｉの値を１ずつインクリメントしながら、ｉがｎとなるまでステップS13〜S16を繰り返した後（ステップS17, S18）、後述する図４のアドレス指定の可能性を判断する処理に進む（ステップS19）。
【００２５】
次に、本実施の形態による携帯通信端末は、メール作成時において、上記抽出アドレスのそれぞれに対して"次に指定される可能性の高さ"を判断する機能を有する。その判断基準は、
１）関係する指定済みアドレスの件数
２）関係する指定済みアドレスの指定場所(To、Cc、Bcc)及び指定順
３）関係する指定済みアドレスとの組合せ情報のカウンタ値
である。
【００２６】
指定済みアドレスが１件のみの場合は、３）の関係する指定済みアドレスとの組合せ情報のカウンタ値が大きいアドレスであるほど次に指定される可能性が高いと判断する。
【００２７】
指定済みアドレスが複数件ある場合は、次の手順１，２，３により可能性の高さを判断する。
手順１：指定済みアドレスのそれぞれに対して"重要度ポイント"を設定する。
指定済みアドレスの抽出件数がｎ件の場合、それぞれに対して To指定順 →Cc指定順→Bcc指定順に重要度ポイントとして ｎ、ｎ−１、ｎ−２、....、１ というように設定する。
【００２８】
手順２：前記抽出アドレスのそれぞれに対して、関係する指定済みアドレスの重要度ポイントを加算し、重要度ポイントの合計値が大きいアドレスほど可能性が高いと判断する。このとき「重要度ポイントによる可能性の高さの判断」を示す表１を参照する。
【００２９】
【表１】
2005078352.tif 000003
【００３０】
手順３：手順１，２による条件が等しいアドレスが複数ある場合、３）の関係する指定済みアドレスとの組合せ情報のカウンタ値が大きいアドレスであるほど可能性が高いと判断する。
【００３１】
図４は上記手順１〜３を実行するためのフローチャートを示す。
図３の処理を行って指定済みアドレス関連の組合せ情報及びアドレスを抽出する（ステップS21）。表１を用いて指定済みアドレスに重要度ポイントを設定する（ステップS22）。指定済みアドレスの抽出件数がｎ件の場合（ステップS23）、ｎ＝ｉ＝１から処理を始める（ステップS24）。
【００３２】
まず、ｉ件目の抽出アドレスと関係する指定済みアドレスの重要度ポイントの合計値を求め（ステップS25）、ｉ件目の抽出アドレスと関連する抽出組合せ情報のカウンタ値の合計値を求め（ステップS27）、ｉ件目の抽出アドレスの重要度ポイントの合計値とカウンタ値の合計値とを保存する（ステップS27）。そしてステップS25〜S2７をｉがｎとなるまで繰り返す（ステップS28, S29）。
【００３３】
次に、本実施の形態による携帯通信端末は、メール作成時において、上記図３で抽出したアドレスを上記図４で判断した可能性の高さ順にソートし（図４のステップS30）、２件目以降のアドレスを指定する場合に候補として画面にリスト表示し、その中からユーザが選択したアドレスを追加指定する機能を有する。
【００３４】
図５はメール作成時における上記機能を用いたアドレス指定画面の遷移の例を示すものである。この例では、候補として表示するアドレスがアドレス帳に登録済みの場合、対応付けられた氏名情報なども表示するようにしている。
【００３５】
また、アドレス指定するための別手段として下記の手段などを有し、アドレスの候補と共に選択肢としてリスト表示するようにしている。
１．所望のアドレスの文字列を文字入力機能によって直接入力する。
２．アドレス帳を検索して、所望のアドレスを引用する。
３．送信アドレス履歴を検索して、所望のアドレスを引用する。
４．受信アドレス履歴を検索して、所望のアドレスを引用する。
【００３６】
本実施の形態によれば、送受信した同報メールに含まれるアドレスによって対となる全てのパターンの組合せ情報を蓄積し、新たなメール作成時に１件目の宛先アドレスを指定すると、指定済みのアドレスと蓄積された組合せ情報とに基づいて２件目以降の宛先アドレスを予測し、可能性が高いと判断した順に候補として画面にリスト表示する。ユーザはその中から所望のアドレスを選択することができ、これにより、２件目以降の宛先アドレスを容易に指定でき、同報メール作成時における宛先指定の操作負荷を軽減することができる。
【００３７】
また、本実施の形態によれば、次の効果を得ることができる。
本実施の形態によれば、２件目以降のアドレス指定時には次に指定される可能性の高さ順にリスト表示した中から選択できるので所望のアドレスを容易に指定可能となる。
【００３８】
本実施の形態によれば、２件目以降のアドレス指定時に候補としてリスト表示されるアドレスは、自動蓄積した情報から抽出するので、予めユーザにアドレス帳への登録操作を強いる必要が無く、また、次に指定される可能性の高さ順にリスト表示した中から選択できるので所望のアドレスを容易に指定可能となる。
【００３９】
本実施の形態によれば、２件目以降のアドレス指定時に候補としてリスト表示されるアドレスには、既に指定済みのアドレスを含んだり同じアドレスを複数件含んだりしないので不要な選択肢が表示されず、また、次に指定される可能性の高さ順にリスト表示した中から選択できるので、所望のアドレスを容易に指定可能となる。
【００４０】
本実施の形態によれば、２件目以降のアドレス指定時に候補としてリスト表示されるアドレスは、過去のアドレスの組合せを自動蓄積した情報を基に表示するので、予めユーザに同報グループへの登録操作を強いる必要が無く、また、To、Cc、Bccなどに応じて予測して表示したりすることが可能となる。
【００４１】
本実施の形態によれば、２件目以降のアドレス指定時に候補としてリスト表示されるアドレスは、次に指定される可能性の高さ順に数件ずつ表示しているので、表示部の小さな携帯電話などの機器においても閲覧性を損なうことなく、また、状況に応じて組合せを変更したり、To、Cc、Bccなどに振り分けて指定したりすることが可能となる。
【００４２】
次に、図６ないし８を参照して、メール作成時に２件目以降のアドレスの候補を抽出して表示する手順を説明する。
・指定済みアドレスが１件のみの場合(図６参照)
・仮に指定済みのアドレスをアドレスＡとする。
・先ず、蓄積されている組み合わせ情報の中からアドレスＡと関連する組み合わせ情報を全て抽出する。
・次に、抽出した組み合わせ情報からアドレスＡと組み合わされている他のアドレスを全て抽出し、それぞれの組み合わせ情報のカウンタ値の大きい順にソートして候補表示する。
・指定済みアドレスが複数件の場合(図３、図４、図７および８参照）
・仮にToにアドレスＡとアドレスＢおよびCcにアドレスＣの計３件のアドレスが指定済みとする。(S101)
・まず、蓄積されている組み合わせ情報の中からアドレスＡ、アドレスＢ、アドレスＣのそれぞれと関連する組み合わせ情報を全て抽出する。(S13,S14)(S102,S103)
・次に、抽出した組み合わせ情報の中に指定済みのアドレス同士による組み合わせ情報が含まれる場合、その情報を省く。 (S15)(S104,S105)
・次に、指定済みアドレスの指定場所および指定順に従って重要度ポイントを設定する。(S21,S22)
ここで、重要度を アドレスＡ ＞ アドレスＢ ＞ アドレスＣ と判断し、アドレスＡ関連に３ポイント、アドレスＢ関連に２ポイント、アドレスＣ関連に１ポイントと設定する。
・次に、抽出した組み合わせ情報からそれぞれの指定済みアドレスと組み合わされている他のアドレスを全て抽出し、それら抽出アドレスに対して上記で設定した重要度ポイントを付加する。(S106,S107)
・次に、抽出アドレスの重要度ポイントは合計される(S25)。また、それぞれ関連する抽出組み合わせ情報のカウンタ値も合計される(S26)。そして保存される(S27)。
・次に、このまま新たなアドレスを入力する場合、抽出アドレスの重要度ポイント合計を比較する(S108)。これにより、抽出アドレスを重要度ポイント合計の大きい順にソートして候補表示する(S109)。さらに重要度ポイント合計の等しいものについてはそれぞれに関連する抽出組み合わせ情報のカウンタ値合計を比較し(S110,S111)、大きい順にソートして候補表示する(S112,S113)。
【図面の簡単な説明】
【００４３】
【図１】本発明の実施の形態による携帯通信端末の構成を示すブロック図である。
【図２】本発明の実施の形態によるアドレス組合せ情報作成の処理を示すフローチャートである。
【図３】本発明の実施の形態による指定済みアドレス関連の組合せ情報及びアドレス抽出処理を示すフローチャートである。
【図４】本発明の実施の形態によるアドレス指定の可能性判断の処理を示すフローチャートである。
【図５】本発明の実施の形態によるメール作成時のアドレス指定画面の遷移を示す構成図である。
【図６】指定済みアドレスが１件の場合の処理例である。
【図７】指定済みアドレスが複数件の場合の処理例のＳ１０１〜Ｓ１０６のフローチャートである。
【図８】指定済みアドレスが複数件の場合の処理例のＳ１０７〜Ｓ１１３のフローチャートである。
【符号の説明】
【００４４】
１：制御部、２：無線通信部、７：メモリ部、８：組合せ情報作成部、９：画面表示部、１２：キー操作部、１３：検索・判断部、１４：メール作成部
【図１】
2005078352.tif 000004
【図２】
2005078352.tif 000005
【図３】
2005078352.tif 000006
【図４】
2005078352.tif 000007
【図５】
2005078352.tif 000008
【図６】
2005078352.tif 000009
【図７】
2005078352.tif 000010
【図８】
2005078352.tif 000011